(57)【要約】【課題】遊技媒体の払出（貸出）機能と計数機能とを兼ね備えた遊技用装置であって、払出機能を実現するための構成、及び計数機能を実現するための構成を効率良く配置でき、設計自由度を高く確保した遊技用装置を提供すること。【解決手段】払出ユニット２１から送り出された遊技用メダルを重力の作用によって流下させて払出ノズル１４から払い出すための払出経路Ｓと、投入口１８０に投入された計数用メダルを重力の作用によって流下させて計数ユニット２２に供給するための計数経路Ｃと、を含む遊技用装置１では、払出経路Ｓの高さ方向の形成範囲と、計数経路Ｃの高さ方向の形成範囲とが、少なくとも一部重複している。【選択図】図９
2013244296.tif 000002
【特許請求の範囲】
【請求項１】
遊技機に対応して設けられ、遊技媒体の払出機能及び計数機能を備えた遊技用装置であって、
遊技媒体を外部に向けて払い出す払出ユニットと、
該払出ユニットから払い出された遊技媒体を重力の作用によって流下させて外部に導く払出経路と、
遊技者が遊技により獲得した遊技媒体を投入するための投入口と、
該投入口に投入された遊技媒体数を計数する計数ユニットと、
前記投入口に投入された遊技媒体を重力の作用によって流下させて前記計数ユニットに導く計数経路と、を含み、
前記払出経路と前記計数経路とは高さ方向の形成範囲が少なくとも一部重複していることを特徴とする遊技用装置。
【請求項２】
前記払出経路及び前記計数経路の一部又は全部を形成するガイド部を有し、
前記払出経路と前記計数経路とは前記ガイド部内において高さ方向の形成範囲が少なくとも一部重複していることを特徴とする請求項１に記載の遊技用装置。
【発明の詳細な説明】
【技術分野】
【０００１】
本発明は、遊技用の遊技媒体の払出（貸出）機能と、遊技により獲得された遊技媒体の計数機能と、を兼ね備えた遊技用装置に関する。
【背景技術】
【０００２】
従来より、遊技機が設置された遊技場では、遊技者が獲得したメダル等の遊技媒体を計数装置で計数し、その計数値に応じた景品との交換取引が行われている。多くの遊技場では、遊技機が配列された遊技機島の島端に計数装置が設置されている。
【０００３】
遊技者が獲得した遊技媒体を計数装置の設置場所まで運ぶ作業は、従業員や遊技者にとって過大な負担となっている。また、島端に計数装置が設置された遊技場では、遊技終了まで遊技者の手元に遊技媒体が保留されることになる。遊技場側では、遊技機島の遊技媒体が不足しないように相当数のメダルを確保しておかなければならず、これにより遊技場経営のコスト上昇が招来されている。
【０００４】
そこで、近年、遊技用の遊技媒体の払出機能と、遊技により獲得された遊技媒体の計数機能と、を兼ね備えた装置であって、各遊技機に隣接して設置可能な遊技用装置が提案されている（例えば、特許文献１参照。）。縦型形状を呈し、隣り合う遊技機との隙間に設置されるこの遊技用装置では、高さ方向の中間当たりの比較的高い位置にメダルを払い出すためのメダル受け皿が設けられ、計数用のメダル投入口が最下部に設けられている。
【０００５】
しかしながら、前記従来の遊技媒体の払出（貸出）機能と計数機能とを兼ね備えた遊技用装置では、次のような問題がある。すなわち、独立して設けられたメダル受け皿とメダル投入口とにより遊技用装置の前面の大部分が占有され、貨幣投入口や操作ボタン等を遊技者が使い易く配置する際の設計自由度が低下しているという問題がある。
【先行技術文献】
【特許文献】
【０００６】
【特許文献１】特開２００６−２１２２３６号公報
【発明の概要】
【発明が解決しようとする課題】
【０００７】
本発明は、前記従来の問題点に鑑みてなされたものであり、遊技媒体の払出（貸出）機能と計数機能とを兼ね備えた遊技用装置であって、払出機能を実現するための構成、及び計数機能を実現するための構成を効率良く配置でき、設計自由度を高く確保した遊技用装置を提供しようとする発明である。
【課題を解決するための手段】
【０００８】
本発明は、遊技機に対応して設けられ、遊技媒体の払出機能及び計数機能を備えた遊技用装置であって、
遊技媒体を外部に向けて払い出す払出ユニットと、
該払出ユニットから払い出された遊技媒体を重力の作用によって流下させて外部に導く払出経路と、
遊技者が遊技により獲得した遊技媒体を投入するための投入口と、
該投入口に投入された遊技媒体数を計数する計数ユニットと、
前記投入口に投入された遊技媒体を重力の作用によって流下させて前記計数ユニットに導く計数経路と、を含み、
前記払出経路と前記計数経路とは高さ方向の形成範囲が少なくとも一部重複していることを特徴とする遊技用装置にある（請求項１）。
【０００９】
本発明の遊技用装置では、重力の作用により遊技媒体を流下させて外部に遊技媒体を払い出したり、前記投入口に投入された遊技媒体を前記計数ユニットに供給している。それ故、前記払出経路の高さ方向の両端に前記払出ユニットと遊技媒体の出口とを配置し、前記計数経路の高さ方向の両端に前記投入口と前記計数ユニットとを配置する必要がある。
【００１０】
本発明の遊技用装置では、前記払出経路及び前記計数経路の形成範囲が高さ方向（遊技用装置が設置されたときの鉛直方向）において少なくとも一部重複している。前記払出経路と前記計数経路とを高さ方向に重複させる場合であれば、例えば、前記払出経路の高さ方向における中間的な位置に前記投入口を配置したり、前記計数経路の高さ方向における中間的な位置に前記払出ユニットを配置したり、前記計数ユニットと前記投入口とを同じような高さに配置するような配置構造が可能になる。このような配置構造を採用すれば、前記払出ユニット、前記計数ユニット、及び前記投入口等を配置する際に必要な配置高さを抑制でき、これらをコンパクトに配置できる。
【００１１】
本発明の遊技用装置では、遊技媒体の払出機能及び計数機能を実現するための構成を高さ方向においてコンパクトに配置できると共に、貨幣投入口や操作ボタンなど遊技用装置に必要な他の構成を配置可能なスペースを広く確保でき設計自由度が向上されている。
【００１２】
本発明における遊技機としては、パチンコ玉を遊技媒体として使用するパチンコ遊技機や、コインやメダル等を遊技媒体として使用するスロットマシン等がある。さらに、スロットマシンの場合であれば、パチンコ玉を遊技媒体として使用するパロット（Ｒ）であっても良い。
【００１３】
本発明における好適な一態様の遊技用装置は、前記払出経路及び前記計数経路の一部又は全部を形成するガイド部を有し、
前記払出経路と前記計数経路とは前記ガイド部内において高さ方向の形成範囲が少なくとも一部重複している（請求項２）。
【００１４】
このようなガイド部を採用すれば、前記払出経路及び前記計数経路を効率良く取り回しできるようになる。さらに、前記払出経路の外部への出口をなす払出ノズルを前記ガイド部に取り付けることも良い。
【００１５】
本発明における好適な一態様の遊技用装置のガイド部には、前記投入口が設けられていると共に、前記払出経路の一部を構成し遊技媒体を流下させる払出ダクトが一体的に形成されている。
前記投入口が設けられたガイド部に前記払出ダクトを一体的に形成すれば、前記払出経路と前記計数経路とを一層効率良く形成できる。
【００１６】
本発明における好適な一態様の遊技用装置では、前記払出経路及び前記計数経路のうち何れの経路が前記遊技用装置の内側に近く位置し、何れの経路が前記遊技用装置の外側に近く位置するかが、前記ガイド部において入れ替わっている。
内側と外側とが入れ替わるように前記ガイド部において前記払出経路と前記計数経路とを交差させれば、流下方向が逆向きのこれら２系統の経路を一層効率良く形成できる。さらに、前記遊技用装置の前面側に前記ガイド部を取り付ける構造を採用すれば、これら２系統の経路を装置内部で交差させる必要がなくなり、遊技用装置の内部構造をシンプルにできる。
【図面の簡単な説明】
【００１７】
【図１】実施例における、遊技用装置を含む遊技場管理システムを示すシステム図。
【図２】実施例における、遊技機及び遊技用装置の組合せを示す正面図。
【図３】実施例における、遊技用装置を示す斜視図。
【図４】実施例における、遊技用装置の一部断面構造を示す側面図。
【図５】実施例における、払出ホッパー、計数ホッパーを示す斜視図。
【図６】実施例における、ホッパーカバーを示す斜視図。
【図７】実施例における、ホッパーカバーを示す側面図。
【図８】実施例における、ホッパーカバーの組立て構造を示す組立図。
【図９】実施例における、払出経路と計数経路との関係を説明する説明図。
【発明を実施するための形態】
【００１８】
本発明の実施の形態につき、以下の実施例を用いて具体的に説明する。
（実施例）
本例は、遊技媒体であるメダルの払出（貸出）機能と計数機能とを兼ね備え、スロットマシン（遊技機）５に対応して個別に設置される遊技用装置１に関する例である。本例の内容について、図１〜図９を用いて説明する。
【００１９】
一般的な遊技場では、図１のごとく、遊技用装置１及びスロットマシン５の組合せが管理装置４１によって管理され、全体として遊技場管理システム４が形成されている。この遊技場管理システム４では、管理装置４１のほか、遊技用装置１及びスロットマシン５の組合せ２組毎に設置される中継装置４２が通信ネットワーク４０に接続されている。
【００２０】
遊技場では、通路に面して複数のスロットマシン５が配列され、遊技機島が形成されている。遊技機島には、スロットマシン５及び遊技用装置１の背面側に供給樋（図示略）及び回収樋（図４中の符号２０５）が設けられている。背面上側に設けられる供給樋は、スロットマシン５及び遊技用装置１にメダルを供給するための樋である。背面下側に設けられる回収樋は、スロットマシン５及び遊技用装置１からメダルを回収するための樋である。
【００２１】
スロットマシン５は、図１及び図２のごとく、図柄を変動表示する図柄表示窓５１に停止した図柄の組合せに応じて入賞を発生させる遊技機である。スロットマシン５の前面では、液晶表示部５９、左右一対のスピーカ５７及び装飾ランプ部５６等が図柄表示窓５１の上側に配置され、下側にベース部５００が形成されている。遊技者側に張り出すように形成されたベース部５００は、図柄表示窓５１に隣り合う上端部に棚面状の操作面５４を有し、下端部にメダルの受け皿５５を有し、操作面５４の下側に隣接して操作パネル５３を有している。
【００２２】
操作面５４には、クレジット（貯留）されたメダルを投入するためのベットボタン５４１と、クレジットされたメダルを払い出させるための精算ボタン５４２と、メダルを直接投入するためのメダル投入口５４５と、が配置されている。操作パネル５３には、リール５２の図柄変動を開始させるためのスタートレバー５３１、図柄変動を停止させるためのストップボタン５３２が配置されている。
【００２３】
スロットマシン５では、図柄表示窓５１に入賞図柄が停止表示されたとき、その図柄に対応する役の入賞が発生する。ボーナス図柄が停止表示されるとボーナス役が入賞して最も有利なボーナスゲームが開始される。ボーナスゲームでは、小役の入賞確率が非常に高くなり、多数のメダルの払い出しを期待できる。
【００２４】
本例の遊技用装置１は、図１〜図４のごとく、隣り合うスロットマシン５との隙間のスペースに配設される縦長形状の装置であり、対応するスロットマシン５の向かって右側に配置される。遊技用装置１は、供給口２０１（図４）を介して供給樋（図示略）に接続され、排出口２０３を介して回収樋２０５に接続されている。貨幣等を対価として払い出すメダルは、供給樋を介して遊技用装置１に供給される。一方、計数のために遊技用装置１に投入されたメダルは、計数された後、回収樋２０５に送り出され回収コンベア２０７によって回収される。
【００２５】
この遊技用装置１の前面上部には、装置エラーやカードのストック切れ等を従業員に報知する状態表示ランプ１０１、貨幣投入口１０２、遊技カードを挿入するためのカード挿入口１０３、各種の操作ボタンが配置された操作パネル１０５、残クレジット数表示部１０７、持メダル表示部１０８が配置されている。
【００２６】
カード挿入口１０３には、ＩＣチップが実装された会員カードやビジターカード等の遊技カードを挿入可能である。会員カードは、遊技会員に登録した遊技者に配布されるカードである。会員カードには、カードＩＤのほか、チャージ金額を表す残クレジット数、遊技を通じて遊技者が獲得したメダルのうち計数済みのメダル数を表す持メダル数等が記録されている。ビジターカードには、カードＩＤのほか、残クレジット数や持メダル数等が記録されている。
【００２７】
残クレジット数表示部１０７は、貨幣投入口１０２に投入した貨幣のうちの残り金額、あるいは挿入された遊技カードに記録された残クレジット数を表示する表示部である。
持メダル表示部１０８は、計数済みの持メダル数の表示部である。遊技を開始するに当たって遊技カードが挿入された場合、その遊技カードに記録された持メダル数が持メダル表示部１０８に表示され、その後、持メダルの払出によって減算表示されると共に、獲得したメダルの計数に応じて加算表示される。
操作パネル１０５には、カードの返却ボタン、遊技に用いるメダルを払い出させる払出ボタン、メダルを計数させるための計数ボタン等が配置されている。
【００２８】
遊技用装置１の高さ方向の中央付近には、従業員等がメダルを補充するためのメダル補給扉１０９が設けられている。このメダル補給扉１０９の下側は、ホッパーカバー１０によって覆われている。このホッパーカバー１０には、メダルの投入口１８０が通路側に張り出すように設けられていると共に、メダルの払出ノズル１４が取り付けられている。
【００２９】
遊技用装置１の内部には、図４及び図５のごとく、図示しない制御基板等のほか、メダルを払い出す払出ホッパー（払出ユニット）２１、投入されたメダルを計数する計数ホッパー（計数ユニット）２２、カード挿入口１０３に挿入されたカードの記録データを読み書きするカードリーダライタ（図示略）、貨幣投入口１０２に投入された貨幣の券種等を判別する貨幣読取機（図示略）等が収容されている。本例の遊技用装置１では、カードリーダライタ、貨幣読取機等が上側に収容され、払出ホッパー２１、計数ホッパー２２等がホッパーカバー１０の内側に収容されている。
【００３０】
払出ホッパー２１は、供給口２０１等から供給されたメダルを払い出すためのホッパー装置である。
計数ホッパー２２は、投入口１８０に投入されたメダルを計数して回収樋２０５に送り出すホッパー装置である。
払出ホッパー２１及び計数ホッパー２２は、払出ホッパー２１を上にして上下２段に配置されている。
【００３１】
各ホッパー２１、２２は、鉛直方向上方に向けて開口するラッパ形状のホッパータンク２１１、２２１と、ホッパー本体部２１３、２２３と、を組み合わせて構成されている。ホッパータンク２１１、２２１の底側には、ホッパー本体部２１３、２２３にメダルを供給するための連通部２１８、２２８が形成されている。なお、図５は、透明な樹脂製のホッパータンク２１１、２２１を介して、ホッパー本体部２１３、２２３等が透けて目視される状態を示している。
【００３２】
払出ホッパー２１のホッパータンク２１１は、メダル補給扉１０９から補給されたメダル、あるいは供給口２０１から供給されたメダルを貯留する。ホッパータンク２１１に貯留されたメダルは、前記払出ボタンの有効操作に応じて遊技用のメダルとして払い出される。
計数ホッパー２２のホッパータンク２２１は、計数のために投入口１８０に投入されたメダルを一時的に貯えるタンクである。ホッパータンク２２１のメダルは、１枚ずつ計数されて回収樋２０５に送出される。
【００３３】
ホッパー本体部２１３、２２３は、ホッパータンク２１１、２２１のメダルを１枚ずつ送り出すユニットである。ホッパー本体部２１３、２２３は、モータ２１５、２２５によって回転する略円板状のホッパーディスク２１６、２２６を備えている。ホッパー本体部２１３、２２３の上面には、メダルの直径相当の幅でホッパーディスク２１６、２２６に連結されるメダル通路２１７、２２７が設けられている。
【００３４】
ホッパーディスク２１６、２２６は、平置き状態のメダルを１枚ずつ収容するメダル凹部孔２１０、２２０が周方向等間隔の５カ所に設けられた回転部材である。メダル凹部孔２１０、２２０のメダルは、ホッパーディスク２１６、２２６の回転に応じてメダル通路２１７、２２７に送り出される。
【００３５】
ホッパーディスク２１６、２２６は、メダル通路２１７、２２７にメダルが送り出される回転位置毎にステップ単位で回転駆動される。各ホッパー２１、２２によれば、ホッパーディスク２１６、２２６の回転ステップ数に応じた枚数のメダルをメダル通路２１７、２２７に送出できる。送出されたメダルは、図示しないセンサにより１枚ずつ検出され、これにより送り出されたメダルの枚数（払出ホッパー２１であれば払出メダル数、計数ホッパー２２であれば計数メダル数）が計数される。
【００３６】
本例の遊技用装置１では、メダルを払出ノズル１４から払い出しできるようにメダル通路２１７を前面側（通路側）に向けて払出ホッパー２１が収容されている。計数ホッパー２２は、メダルを回収樋２０５に送出できるようにメダル通路２２７を背面側に向けて収容されている。
【００３７】
遊技用装置１では、上下２段に配置された払出ホッパー２１及び計数ホッパー２２の前面側を覆うように前記ホッパーカバー１０が取り付けられている（図４）。このホッパーカバー１０は、図６〜図８のごとく、土台となる金属製の略短冊形状のベースプレート１５と、その表面に取り付けられる樹脂部品と、を組み合わせて構成されている。樹脂部品は、上側パネル１１及び下側パネル１３による上下２分割の構造となっている。
【００３８】
ベースプレート１５は、略短冊形状の長手方向の２箇所の位置に開口部１５１、１５４を有している。遊技用装置１に組み込まれたときに上側に位置する開口部１５１はメダルを１枚挿通できる程度の孔であり、払出ホッパー２１のメダル通路２１７に対応する位置に設けられている。この開口部１５１には、払出ホッパー２１のホッパー本体部２１３の側面に当接するように延設され、メダル通路２１７に連通するダクト１５２が取り付けられている。一方、下側に位置する開口部１５４は、ホッパータンク２２１の端部を挿入できる程度の大きな孔であり、計数ホッパー２２のホッパータンク２２１に対応する位置に設けられている。
【００３９】
上側パネル１１には、側壁部１１１に取り囲まれて出窓のように張り出す張出部１００が形成されている（図８）。下側パネル１３と隣接する側の端部に設けられたこの張出部１００は、その張出方向に延設された仕切板１１２によって左右に分割された内部構造を有している。向かって右側の内部構造は、側壁部１１１と仕切板１１２で取り囲まれた領域に底面が形成されておらず貫通構造を呈している。
【００４０】
向かって左側の内部構造は、側壁部１１１と仕切板１１２とにより挟まれていると共に、張出方向（手前側）に向かって傾斜する底面により溝１１３が形成されている。この溝１１３は、奥側の位置においてベースプレート１５の開口部１５１に連通するように形成され、手前側に当たる側壁部１１１が切り欠かれて出口１１０が形成されている。この出口１１０には、払出ノズル１４（図８では図示略）を連通状態で取り付けるための取付構造（図示略）が設けられている。
【００４１】
張出部１００は、その内部を覆うように組み付けられるファンネル１２との組合せによりガイド部１８を形成している。ファンネル１２は、左右両側の側壁部１２１と奥側の壁部１２２とに取り囲まれた内側に、斜面１２５と斜面１２６との組合せにより形成されたすり鉢形状を備えている。
【００４２】
斜面１２５は、張出部１００の張出方向に当たる手前側から奥側に向けて傾斜している。斜面１２６は、上側パネル１１に向かって左側の側壁部１２１から右側に向かって傾斜している。ファンネル１２では、奥側に向けて傾斜する斜面１２５と向かって右側に傾斜する斜面１２６との組合せにより右奥の隅に最深部が形成され、さらに、この最深部には孔１２０が設けられている。
【００４３】
張出部１００にファンネル１２を組み付けたガイド部１８では、ファンネル１２の斜面１２６により溝１１３に天井が形成され、これによりメダルを流下させるための払出ダクト１８１が形成されている。この払出ダクト１８１は開口部１５１に連通している。
【００４４】
下側パネル１３は、上側パネル１１側に位置する端部に受け皿形状の膨らむ収容部１３０を有している。この収容部１３０は、計数ホッパー２２のホッパータンク２２１の端部をベースプレート１５の開口部１５４に収容可能にするための逃げのスペースである（図４，図９参照。）。
【００４５】
遊技用装置１では、図９のごとく、ホッパーカバー１０の背面側にダクト１５２が延設されてメダル通路２１７と連通している。このダクト１５２は、ガイド部１８を横切るように貫通する払出ダクト１８１を介して払出ノズル１４と連通し、これにより払出経路Ｓが形成されている。払出ホッパー２１のメダル通路２１７から送り出されたメダルは、この払出経路Ｓを流下して払出ノズル１４から払い出される。
【００４６】
また、遊技用装置１では、下側パネル１３の収容部１３０に計数ホッパー２２のホッパータンク２２１の端部が収容されていると共に、投入口１８０の最深部に開口する孔１２０がこの収容部１３０に向けて開口している。これにより投入口１８０から計数ホッパー２２に至る計数経路Ｃが形成されている。
【００４７】
払出経路Ｓの上端は、払出ホッパー２１のホッパータンク２１１の下端に位置し、メダルの出口に当たる払出経路Ｓの下端は、払出ノズル１４の先端に位置している。計数経路Ｃの上端は、投入口１８０を形成する斜面１２５、１２６の上端に位置し、計数経路Ｃの下端は、計数ホッパー２２のホッパータンク２２１の下端に位置している。
【００４８】
本例の遊技用装置１では、図９のごとく、計数経路Ｃの高さ方向の形成範囲と、払出経路Ｓの高さ方向の形成範囲とが、ガイド部１８において重複している。また、払出経路Ｓと計数経路Ｃとを横並びに配置することにより、高さ方向の形成範囲が重複することを可能にしている。
【００４９】
次に、本例の遊技用装置１の動作を説明する。遊技用装置１は、貨幣を受付した状態、あるいは残クレジット数又は持メダル数が記録された遊技カードが挿入された状態で払出ボタンが操作されたとき、メダルを払い出す。メダルは、払出ノズル１４を介してスロットマシン５の受け皿５５に払い出される。なお、メダルの払出に際しては、残クレジット数よりも持メダル数が優先され、持メダル数が所定数以上であればその中からメダルが払い出される。
【００５０】
遊技によりメダルを獲得したときには、スロットマシン５の受け皿５５のメダルを投入口１８０に投入すれば直ちにその枚数を計数させることができる。投入されたメダルは計数ホッパー２２により計数され、その計数メダル数が持メダル表示部１０８の持メダル数に加算される。
【００５１】
遊技を終了する際には、返却ボタンの操作により会員カード等の返却を受けて遊技を終了できる。このときの持メダル数と残クレジット数は、返却される会員カードに記録されると共に、カードＩＤを対応付けて管理装置４１に送信される。一方、会員カードが未挿入の遊技の場合には、持メダル数と残クレジット数を記録したビジターカードが発行されると共に、記録した持メダル数やカードＩＤ等のカード情報が管理装置４１に送信されて管理される。
【００５２】
以上のように構成された本例の遊技用装置１は、メダルの払出経路Ｓ、及びメダルの計数経路Ｃの取り回しに特徴を有している。この遊技用装置１では、上下２段に配置された払出ホッパー２１と計数ホッパー２２との中間的な位置にガイド部１８が設けられ、払出ホッパー２１から払出ノズル１４に至る払出経路Ｓ、及び投入口１８０から計数ホッパー２２に至る計数経路Ｃが、このガイド部１８によって形成されている。
【００５３】
投入口１８０に投入されたメダルが計数ホッパー２２に流下する計数経路Ｃと、払出ホッパー２１から払出ノズル１４を介して払い出されるメダルの払出経路Ｓとは、高さ方向の形成範囲が少なくとも一部重複している。このように払出経路Ｓと計数経路Ｃとが形成された本例の遊技用装置１では、払出ホッパー２１とほぼ同じような高さに計数経路Ｃを構成する投入口１８０が配置されている。
【００５４】
このような配置構造を採用すれば、払出機能及び計数機能を実現するための構成（払出ホッパー２１、計数ホッパー２２、投入口１８０等）を配置するために必要な配置高さを抑制できる。本例の遊技用装置１では、払出機能及び計数機能を実現する構成が装置の下側にコンパクトに集約され、これにより、貨幣投入口１０２やカード挿入口１０３や操作パネル１０５などの構成を配置する上での設計自由度が向上している。
【００５５】
払出機能及び計数機能を実現する構成を高さ方向にコンパクトに配置できれば、例えば、払出ホッパー２１のホッパータンク２１１のタンク容量の拡大する設計変更も容易である。このタンク容量を十分に確保できれば、メダル補給扉１０９からメダルを補給する作業の頻度を抑制して、従業員の作業負担を軽減できる。
【００５６】
また、本例の遊技用装置１では、内部から外部に至る払出経路Ｓ及び外部から内部に向かう計数経路Ｃのうち、何れの経路が遊技用装置１の内側に近く位置し、何れの経路が遊技用装置１の外側に近く位置するかが、ガイド部１８において入れ替わって交差している。このように本例では、払出経路Ｓと計数経路Ｃとが交差するという複雑な経路構造をガイド部１８において一体的に作り込むことで経路構造をシンプルにし、コストを抑制している。さらに、このガイド部１８は、遊技用装置１の前面側に張り出すように形成されている。それ故、本例の遊技用装置１では、払出経路Ｓと計数経路Ｃとを装置内部において交差させる必要がなく、シンプルな内部構造が実現されている。
【００５７】
なお、本例は、スロットマシン５に対応する遊技用装置１に関する例である。本例に代えて、パチンコ遊技機などのパチンコ玉を遊技媒体として使用する遊技機に対して遊技用装置を適用しても良い。
本例の遊技用装置１では、スロットマシン５の受け皿５５にメダルを流し込む払出ノズル１４が採用されている。払出ノズル１４に代えてメダル受け皿を設けることも良い。この場合には、メダル受け皿に払出されたメダルを遊技者が手を使って移し替えることができる。払出ノズル１４の取付構造としては、ガイド部１８側の付け根を中心として回動可能なような構造を採用しても良い。
【００５８】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００５９】
１  遊技用装置（遊技媒体遊技用装置）
１０  ホッパーカバー
１１  上側パネル
１１３  溝
１００  張出部
１２  ファンネル
１２０  孔
１２５、１２６  斜面
１３  下側パネル
１３０  収容部
１４  払出ノズル
１５  ベースプレート
１５１、１５４  開口部
１８  ガイド部
１８０  投入口
１８１  払出ダクト
２１  払出ホッパー（払出ユニット）
２２  計数ホッパー（計数ユニット）
２１１、２２１  ホッパータンク
２１３、２２３  ホッパー本体部
２１６、２２６  ホッパーディスク
２１７、２２７  メダル通路
４  遊技場管理システム
４１  管理装置
４２  中継装置
５  スロットマシン（遊技機）
５５  受け皿
【図１】
2013244296.tif 000003
【図２】
2013244296.tif 000004
【図３】
2013244296.tif 000005
【図４】
2013244296.tif 000006
【図５】
2013244296.tif 000007
【図６】
2013244296.tif 000008
【図７】
2013244296.tif 000009
【図８】
2013244296.tif 000010
【図９】
2013244296.tif 000011